(57)【要約】【課題】ガス化炉等の観測対象物の内部を簡便に満遍なく定点撮影できる観測対象物内の観測装置、及び観測対象物内の観測方法を提供することを目的とする。【解決手段】ガス化炉の内部を観測する観測装置であって、撮影部１０と、撮影部１０が取り付けられ、撮影部１０をガス化炉の内部に挿入する挿入部１２と、撮影部１０の撮影角度を左右方向と上下方向においてそれぞれ調節する角度調節部１４と、角度調節部１４による撮影部１０の撮影角度の調節を制御する制御部１６と、を備える、観測対象物内の観測装置１。また、挿入部１２により撮影部１０をガス化炉内に挿入し、角度調節部１４による撮影部１０の撮影角度の調節を制御部１６で制御しつつガス化炉の内部を撮影する、観測対象物内の観測方法。【選択図】図１
2019039653.tif 000002
【特許請求の範囲】
【請求項１】
内部に空洞が形成された観測対象物の内部を観測する観測対象物内の観測装置であって、
撮影部と、
前記撮影部が取り付けられ、前記撮影部を前記観測対象物の内部に挿入する挿入部と、
前記撮影部の撮影角度を左右方向と上下方向においてそれぞれ調節する角度調節部と、
前記角度調節部による前記撮影部の撮影角度の調節を制御する制御部と、を備える、観測対象物内の観測装置。
【請求項２】
前記観測対象物がガス化炉であり、前記挿入部が前記ガス化炉のバーナ挿入孔に挿入される棒状体である、請求項１に記載の観測対象物内の観測装置。
【請求項３】
前記撮影部の左右方向の両側にそれぞれ間接照明が設けられている、請求項１又は２に記載の観測対象物内の観測装置。
【請求項４】
前記挿入部に水平器が設けられている、請求項１〜３のいずれか一項に記載の観測対象物内の観測装置。
【請求項５】
請求項１〜４のいずれか一項に記載の観測対象物内の観測装置を用いて観測対象物の内部を観測する方法であって、
前記挿入部により前記撮影部を観測対象物内に挿入し、前記角度調節部による前記撮影部の撮影角度の調節を前記制御部で制御しつつ前記観測対象物の内部を撮影する、観測対象物内の観測方法。
【発明の詳細な説明】
【技術分野】
【０００１】
本発明は、観測対象物内の観測装置、及び観測対象物内の観測方法に関する。
【背景技術】
【０００２】
例えば石炭等の固形炭化水素燃料から一酸化炭素、水素、メタン等の燃料ガスを製造する石炭ガス化プロセスにガス化炉が用いられている（特許文献１）。ガス化炉においては、炉内メンテナンス指針や次回運転時の指針を決めるため、停止期間中に炉壁の損耗状態やスラグタップ閉塞状況を確認することが重要である。
【０００３】
従来、ガス化炉内の観測は、棒の先に取り付けたカメラを炉内に挿入し、セルフタイマーで炉内を撮影することで行っていた。しかし、この方法で炉内を隅々まで観測するには、カメラの角度を調節し、セルフタイマーをセットして炉内に挿入して撮影し、炉内からカメラを抜き出すという操作を何度も繰り返す必要があり、膨大な労力がかかる。また、カメラの角度調節や挿入位置は手動で感覚的に決めており、撮影位置を高精度に調節できず、定点撮影は難しい。そのため、得られた観測データは、炉内のどの部分が撮影されたものかを正確に判断できず、過去の観測データと比較することが困難である。
【先行技術文献】
【特許文献】
【０００４】
【特許文献１】特公平５−４７５９５号公報
【発明の概要】
【発明が解決しようとする課題】
【０００５】
本発明は、ガス化炉等の観測対象物の内部を簡便に満遍なく定点撮影できる観測対象物内の観測装置、及び観測対象物内の観測方法を提供することを目的とする。
【課題を解決するための手段】
【０００６】
本発明は、以下の態様を有する。
［１］内部に空洞が形成された観測対象物の内部を観測する観測対象物内の観測装置であって、
撮影部と、
前記撮影部が取り付けられ、前記撮影部を前記観測対象物の内部に挿入する挿入部と、
前記撮影部の撮影角度を左右方向と上下方向においてそれぞれ調節する角度調節部と、
前記角度調節部による前記撮影部の撮影角度の調節を制御する制御部と、を備える、観測装置。
［２］前記観測対象物がガス化炉であり、前記挿入部が前記ガス化炉のバーナ挿入孔に挿入される棒状体である、［１］に記載の観測対象物内の観測装置。
［３］前記撮影部の左右方向の両側にそれぞれ間接照明が設けられている、［１］又は［２］に記載の観測対象物内の観測装置。
［４］前記挿入部に水平器が設けられている、［１］〜［３］のいずれかに記載の観測対象物内の観測装置。
［５］［１］〜［４］のいずれかに記載の観測対象物内の観測装置を用いて観測対象物の内部を観測する方法であって、
前記挿入部により前記撮影部を観測対象物内に挿入し、前記角度調節部による前記撮影部の撮影角度の調節を前記制御部で制御しつつ前記観測対象物の内部を撮影する、観測対象物内の観測方法。
【発明の効果】
【０００７】
本発明によれば、ガス化炉等の観測対象物の内部を簡便に満遍なく定点撮影できる。
【図面の簡単な説明】
【０００８】
【図１】本発明の観測装置の一例を示した側面図である。
【図２】図１の観測装置の撮影部の正面図である。
【図３】図１の観測装置の撮影部の上下方向において角度を調節する様子を示した側面図である。
【図４】図１の観測装置の撮影部の左右方向において角度を調節する様子を示した平面図である。
【図５】図１の観測装置の挿入時の撮影部近傍の様子を示した平面図である。
【図６】図１の観測装置の撮影部をガス化炉内に挿入した様子を示した断面図である。
【図７】図６のＡ−Ａ断面図である。
【発明を実施するための形態】
【０００９】
本発明において、「左右方向」及び「上下方向」とは、撮影部を挿入部の後端から先端に向かう正面方向に向けた状態における左右方向及び上下方向を意味するものとする。
【００１０】
［観測対象物内の観測装置］
本発明の観測対象物内の観測装置は、内部に空洞が形成された観測対象物の内部を観測する装置である。本発明の観測対象物内の観測装置は、撮影部と、前記撮影部が取り付けられ、前記撮影部を前記観測対象物の内部に挿入する挿入部と、前記撮影部の撮影角度を左右方向と上下方向においてそれぞれ調節する角度調節部と、前記角度調節部による前記撮影部の撮影角度の調節を制御する制御部と、を備える。
【００１１】
観測対象物としては、内部に空洞が形成されているものであればよく、ガス化炉、高炉、塔、槽、配管を例示できる。本発明の観測装置は、ガス化炉の内部の定点観測に特に有用である。
【００１２】
以下、本発明の観測対象物内の観測装置の一例を示して説明する。なお、以下の説明において例示される図の寸法等は一例であって、本発明はそれらに必ずしも限定されるものではなく、その要旨を変更しない範囲で適宜変更して実施することが可能である。
【００１３】
本発明の観測対象物内の観測装置１（以下、単に「観測装置１」という。）は、図１及び図２に示すように、撮影部１０と、挿入部１２と、角度調節部１４と、制御部１６と、間接照明１８と、水平器２０とを備えている。撮影部１０は挿入部１２の先端部に角度調節部１４を介して取り付けられている。制御部１６と水平器２０は、挿入部１２の後端部に設けられている。間接照明１８は、撮影部１０の左右方向の両側にそれぞれ位置するように設けられている。
観測装置１は、ガス化炉の内部を観測するのに適した観測装置である。
【００１４】
撮影部１０は、ガス化炉内を撮影する部分である。撮影部１０としては、静止画を撮影できるものであってもよく、動画を撮影できるものであってもよく、静止画と動画の両方を撮影できるものであってもよい。撮影部１０としては、特に限定されず、例えば、デジタルカメラを使用でき、耐塵性に優れたカメラが好ましい。
撮影部１０により撮影したデータは、無線で送受信できるようになっていてもよく、有線で送受信できるようになっていてもよい。
【００１５】
挿入部１２は、先端部に取り付けられた撮影部１０をガス化炉の内部に挿入するための部分である。この例の挿入部１２は、ガス化炉のバーナ挿入孔に挿入できる棒状体である。
挿入部１２の長さ方向に垂直な断面形状は、幅方向が厚さ方向よりも長い長方形状である。なお、挿入部１２の断面形状は長方形状には限定されず、円形状等であってもよい。挿入部１２上に水平器２０を設置しやすく、また撮影部１０を取り付けた部分をコンパクト化しやすい点では、挿入部１２の断面形状はこの例のように長方形状が好ましい。
【００１６】
挿入部１２には、先端からの寸法が所定の間隔でマーキングされていることが好ましい。これにより、挿入部１２により撮影部１０をガス化炉内に挿入する際、撮影部１０の挿入位置を正確に決めることが容易になる。挿入部１２に寸法をマーキングする態様としては、例えば、挿入部１２の上面に先端から５ｃｍ毎にマーキングする態様が挙げられる。
【００１７】
挿入部１２の材質は、充分な剛性を有するものであればよく、アルミニウム、鉄等の金属、ポリ塩化ビニル等の樹脂、木を例示できる。なかでも、挿入部１２の材質は、充分な剛性を得つつ挿入部１２を軽量化でき、炉内の観測がより容易になる点から、アルミニウムが好ましい。挿入部１２の材質は、１種であってもよく、２種以上であってもよい。
【００１８】
挿入部１２の長さは、挿入するガス化炉のバーナ挿入孔の長さに応じて適宜設定でき、例えば、１００〜３６００ｍｍとすることができる。
挿入部１２の幅及び厚さは、挿入するガス化炉のバーナ挿入孔の内径や撮影部１０の大きさに応じて適宜設定でき、例えば、バーナ挿入孔の内径が約１１０ｍｍの場合、幅を４０〜４５ｍｍ、厚さを１０〜３０ｍｍとすることができる。
【００１９】
なお、撮影部１０の撮影角度をしっかりと決められる範囲であれば、挿入部１２の先端部には、観測対象物の内部に挿入された状態で、上下方向及び左右方向のいずれか一方又は両方に曲がるようになっていてもよい。
【００２０】
角度調節部１４は、撮影部１０の撮影角度を左右方向と上下方向においてそれぞれ調節する部分である。角度調節部１４により撮影部１０の撮影角度が左右方向と上下方向においてそれぞれ調節できることで、ガス化炉内を隅々まで観察できる。
角度調節部１４の角度調節機構は、撮影部１０の撮影角度を上下方向と左右方向のそれぞれにおいて調節でき、その調節を制御部１６で制御できるようになっていれば特に限定されない。
【００２１】
この例の角度調節部１４は、挿入部１２の先端部に設けられた回動部２２と、回動部２２上に設けられた、撮影部１０を取り付ける取り付け座２４とを備えている。
回動部２２は、撮影部１０を上下方向に回動させて撮影部１０の仰俯角を調節する機構と、撮影部１０を左右方向に回動させて撮影部１０の左右方向の角度を調節する機構をそれぞれ備えている。
【００２２】
回動部２２により、図３（Ａ）のように撮影方向が水平方向となる状態から、図３（Ｂ）のように撮影方向が上向きとなるまで、また図３（Ｃ）のように撮影方向が下向きとなるまで、撮影部１０を上下方向に回動できるようになっている。このように、撮影部１０の上下方向の撮影角度（仰俯角）の調節範囲は、−９０°〜９０°になっている。なお、撮影部１０の上下方向の撮影角度は、撮影部１０が挿入部１２の後端から先端に向かう正面方向に向いている状態を０°とし、そこから上方向（仰角方向）を正、下方向（俯角方向）を負とする。
撮影部１０の上下方向の撮影角度の調節における刻み角度は、適宜設定でき、例えば、０．２〜１８０°とすることができる。
【００２３】
また、回動部２２により、図４（Ａ）のように撮影方向が正面方向となる状態から、図４（Ｂ）のように撮影方向が右向きとなるまで、また図４（Ｃ）のように撮影方向が左向きとなるまで、撮影部１０を左右方向に回動できるようになっている。このように、撮影部１０の左右方向の撮影角度の調節範囲は、−９０°〜９０°になっている。なお、撮影部１０の上下方向の撮影角度は、撮影部１０が挿入部１２の後端から先端に向かう正面方向に向いている状態を０°とし、そこから右方向を正、左方向を負とする。
撮影部１０の左右方向の撮影角度の調節における刻み角度は、適宜設定でき、例えば、０．２〜１８０°とすることができる。
【００２４】
ガス化炉においては、一般に、燃焼ガスが旋回流を形成するように４方向にそれぞれ延びるバーナ挿入孔が形成されている。例えば、図６及び図７に示すように、ガス化炉１００の燃焼部１１０の下部には、平面視でそれぞれ９０°に交差する４方向に延びる４つの下段バーナ挿入孔１０２ａが形成されている。同様に、燃焼部１１０の上部に、平面視でそれぞれ９０°に交差する４方向に延びる４つの上段バーナ挿入孔１０２ｂが形成されている。
【００２５】
観測装置１を用いてガス化炉１００の内部における下側を観察する際には、４つの下段バーナ挿入孔１０２ａのそれぞれから観測装置１の撮影部１０を挿入して撮影できる。同様に、観測装置１を用いてガス化炉１００の内部における上側を観察する際には、４つの上段バーナ挿入孔１０２ｂのそれぞれから観測装置１の撮影部１０を挿入して撮影できる。このように、上段又は下段において４つのバーナ挿入孔からそれぞれ撮影部１０を挿入して撮影を行うことで、撮影部１０の左右方向の撮影角度の調節範囲が−９０°〜９０°であっても、３６０°の撮影範囲でガス化炉１００の内部を隅々まで撮影できる。
【００２６】
なお、本発明では、角度調節部による撮影部の撮影角度の左右方向の調節範囲は、−９０°〜９０°の範囲には限定されず、−１８０°〜１８０°の範囲で適宜設定できる。また、角度調節部による撮影部の撮影角度の上下方向の調節範囲は、−９０°〜９０°の範囲には限定されず、−１８０°〜１８０°の範囲で適宜設定できる。
【００２７】
取り付け座２４は、撮影部１０の底部を支持する平面視形状が長方形状の下板２４ａと、下板２４ａの幅方向の一方の端部から立ち上がる平面視形状が長方形状の背板２４ｂとを備えている。取り付け座２４の下板２４ａ上に載置した撮影部１０をネジ等で下板２４ａに固定することで、回動部２２の動きに連動して撮影部１０が上下方向及び左右方向に回動される。
【００２８】
撮影部１０として市販のデジタルカメラ等を使用する場合、この例のように、取り付け座２４の下板２４ａにおける、撮影部１０のバッテリやメモリーカードの挿入位置に相当する部分には切欠き２４ｃが形成されていることが好ましい。これにより、取り付け座２４に撮影部１０を固定した状態で、バッテリやメモリーカードの交換が容易に行える。
【００２９】
撮影部１０としてデジタルカメラ等を使用する場合、撮影部１０は高さや厚さに比べて横方向の長さが最も長くなる。そのため、この場合には、図５に示すように、撮影部１０を上方に向けて倒し、かつ撮影部１０を回転させて撮影部１０の正面視での横方向と挿入部１２の長さ方向とを一致させられるようになっていることが好ましい。これにより、撮影部１０が取り付けられている部分をコンパクト化できるため、ガス化炉のバーナ挿入孔が内径１１０ｍｍ程度の細いものであっても撮影部１０の出し入れが容易になる。
【００３０】
取り付け座２４の背板２４ｂの長さ方向の両側には、それぞれ間接照明１８が設けられている。これにより、取り付け座２４に取り付けられた撮影部１０の左右方向の両側にそれぞれ間接照明１８が配置されている。この例の間接照明１８は、回動部２２によって撮影部１０とともに回動する。本発明では、間接照明は回動しないように設置されていてもよい。
【００３１】
本発明では、この例のように、撮影部の左右方向の両側にそれぞれ間接照明を設けることが好ましい。
ガス化炉内の観測では、特にガス化炉の内壁面にスラグが付着した場合に、撮影部１０によってフラッシュを利用して撮影すると白飛びが生じやすく、撮影データから内部状況を正確に判断しにくくなる。また、下段バーナ挿入孔１０２ａや上段バーナ挿入孔１０２ｂからガス化炉１００内に撮影部１０を挿入する際には、撮影部１０はガス化炉１００の内壁面の近傍に挿入される。そのため、撮影部１０の撮影角度によって、１０ｃｍ程度の近接撮影となる場合や、２ｍ程度の遠距離撮影となる場合があり、特に近接撮影において白飛びが生じやすくなる。撮影部１０の左右方向の両側にそれぞれ間接照明１８を設け、間接照明１８を常時点灯させた状態で撮影を行うことで、撮影時の白飛びを抑制できる。
【００３２】
間接照明１８としては、全方向を満遍なく照らすタイプの照明が好ましい。これにより、撮影部１０の撮影角度がどの角度に調節されても、撮影部１０の撮影方向が間接照明１８によって充分に照らされ、白飛びを抑制できる。
【００３３】
前記したように、ガス化炉１００内を観測する観測装置１においては、上段バーナ挿入孔１０２ｂを通じて挿入された撮影部１０がガス化炉１００の内壁面に近い。そのため、挿入された撮影部１０を回動部２２によって左右方向に回動させた際に、間接照明１８がガス化炉１００の内壁面に引っ掛からないように、間接照明１８はコンパクトなものを選定することが好ましい。
【００３４】
間接照明１８の設置方向についても、ガス化炉１００の内壁面に引っ掛からないように調節する。例えば間接照明１８の長手方向が上下方向となるように設置することで、回動部２２によって撮影部１０が左右方向に回動されても間接照明１８がガス化炉１００の内壁面に引っ掛かりにくくなる。
【００３５】
間接照明１８としては、観測対象物内において撮影方向を充分に明るく照らすことができるものであればよく、例えば、ＬＥＤ照明を使用できる。
間接照明１８の数は、特に限定されず、一対であってもよく、二対以上であってもよい。
【００３６】
制御部１６は、角度調節部１４と電気的に接続され、角度調節部１４による撮影部１０の撮影角度の調節を制御する部分である。制御部１６は、角度調節部１４によって撮影部１０の撮影角度を上下方向及び左右方向において変化させるタイミング、刻み角度をプログラムのとおりに制御できるものであればよい。
【００３７】
制御部１６は、例えば赤外リモコン機能を利用して撮影部１０による撮影のタイミングも制御できることが好ましい。これにより、定点撮影の枚数や撮影角度の変更がプログラムの変更で容易に行える。
【００３８】
水平器２０は、挿入部１２の後端部に設けられている。すなわち、挿入部１２により撮影部１０をバーナ挿入孔からガス化炉内に挿入した際に、挿入部１２においてバーナ挿入孔から露出している部分に設けられている。これにより、撮影部１０をガス化炉内に挿入した状態で水平器２０を確認できる。
水平器２０としては、特に限定されず、公知の水平器を使用できる。
【００３９】
測定対象物内の定点観測においては、挿入部１２の長さ方向を軸方向とした回転方向に撮影部１０が回転して傾くことを抑制することが重要である。そのため、水平器２０は、挿入部１２の幅方向の水平方向に対する傾斜角度を調節できるように設置することが好ましい。
挿入部１２の長さ方向の水平方向に対する傾斜角度を調節できる水平器をさらに設けてもよい。
【００４０】
以上説明したように、本発明の観測対象物内の観測装置においては、挿入部に取り付けた撮影部を観測対象物の内部に挿入した状態で、角度調節部によって撮影角度を左右方向と上下方向のそれぞれにおいて調節できる。さらに、角度調節部よる撮影部の撮影角度の調節は、制御部によって制御できる。これにより、観測対象物内の撮影位置を高い精度で調節できるため、定点撮影が可能となる。そのため、ガス化炉の停止期間中に炉壁の損耗状態やスラグタップ閉塞状況を確認するために観測を行う際には、停止期間毎の定点撮影で得られた同一の撮影位置の撮影データを比較して状況を把握することができる。
また、本発明の観測対象物内の観測装置では、制御部の制御により、自動で撮影角度を順次変化させながら撮影を連続して行える。そのため、撮影の度に撮影部を出し入れする必要がなく、観測対象物の内部を簡便に満遍なく定点撮影できる。
【００４１】
なお、本発明の観測対象物内の観測装置は、前記した観測装置１には限定されない。
例えば、本発明の観測対象物内の観測装置は、挿入部によって撮影部を観測対象物内に挿入した状態で、撮影部の左右方向を水平方向に一致させることができる治具を備える場合等であれば、水平器を備えない装置であってもよい。このような治具としては、例えば、バーナ挿入部のフランジを利用してボルトで固定する固定具を例示できる。
【００４２】
本発明の観測対象物内の観測装置は、撮影部の左右方向の両側に間接照明をそれぞれ設ける代わりに、撮影部のレンズを囲うようにリングライトを備える装置であってもよい。
本発明の観測対象物内の観測装置は、ガス化炉の内部を観測するための装置には限定されず、挿入部を高炉、塔、槽、配管等に応じた形状に設計した、それらの内部を観測するための装置であってもよい。
【００４３】
ガス化炉のバーナ挿入孔のように、観測対象物の内部にアクセス可能な部分が観測対象物に既に存在している場合には、その部分から撮影部を挿入できるように観測装置の挿入部を設計することが好ましい。なお、挿入部によって撮影部を観測対象物の内部まで挿入可能な部分を観測対象物に別途設け、その部分に対応するように挿入部を設計してもよい。
【００４４】
［観測対象物内の観測方法］
本発明の観測対象物内の観測方法は、本発明の観測対象物内の観測装置を用いて観測対象物の内部を観測する方法である。本発明の観測対象物内の観測方法では、挿入部により観測装置の撮影部を観測対象物内に挿入し、角度調節部による撮影部の撮影角度の調節を制御部で制御しつつ観測対象物の内部を撮影する。
【００４５】
以下、本発明の観測対象物内の観測方法の一例として、前記した観測装置１を用いる方法について説明する。
ガス化炉１００の停止期間において、４つの下段バーナ挿入孔１０２ａ及び４つの上段バーナ挿入孔１０２ｂから上段バーナ及び下段バーナを引き抜く。これにより、下段バーナ挿入孔１０２ａ及び上段バーナ挿入孔１０２ｂを撮影部１０の挿入に利用することが可能となる。
【００４６】
ガス化炉１００内に撮影部１０を挿入する際には、図５に示すように、観測装置１において、回動部２２により撮影部１０を仰角方向に９０°回動させて上方に向くように倒す。さらに撮影部１０を回転させ、撮影部１０の正面視での横方向と挿入部１２の長さ方向とを一致させてコンパクト化する。
【００４７】
本実施形態では、電源をＯＮにしたときの初期状態が、図５のように観測装置１における撮影部１０が取り付けられた先端側の部分がコンパクト化された状態となるように、制御部１６にプログラミングすることが好ましい。これにより、下段バーナ挿入孔１０２ａや上段バーナ挿入孔１０２ｂを通じて撮影部１０をガス化炉１００内に容易に挿入できる。また、電源をＯＦＦにしたときにも、撮影部１０を取り付けた部分が図５のようにコンパクト化された初期状態に戻るように、制御部１６にプログラミングすることが好ましい。これにより、撮影中に予期せず観測装置１の電源がＯＦＦになった場合でも、撮影部１０が引っ掛かってガス化炉１００から抜き出せなくなることを回避できる。
【００４８】
このように撮影部１０が取り付けられた先端側をコンパクト化した状態で、挿入部１２を下段バーナ挿入孔１０２ａや上段バーナ挿入孔１０２ｂに挿し込み、ガス化炉１００の内部に撮影部１０を挿入する。このとき、挿入部１２に施したマーキングを利用して撮影部１０の挿入位置を決め、水平器２０を利用して撮影部１０の左右方向を水平方向と一致させる。
【００４９】
間接照明１８を点灯させ、撮影角度及び撮影のタイミングを予めプログラミングしておいた制御部１６による制御によって、撮影部１０の撮影角度を上下方向及び左右方向においてそれぞれ調節しつつ、ガス化炉１００内を順次、定点撮影する。定点撮影の枚数や撮影角度の変更は、制御部１６のプログラムを変更することで容易に行える。
【００５０】
撮影角度の上下方向及び左右方向の調節における刻み角度は、適宜設定できる。撮影角度の調節は、近接撮影となる間は刻み角度を−３０〜＋３０°の範囲で小さくし、遠距離撮影となる間は刻み角度を−３０〜−９０°、＋３０〜＋９０°の範囲で大きくすることが好ましい。これにより、ガス化炉１００の内部を満遍なく撮影できる。
撮影部１０により静止画を撮影する場合、撮影枚数は、ガス化炉１００の内部を満遍なく撮影できる範囲で適宜設定すればよい。
【００５１】
撮影が終了した後は、間接照明１８を消灯させ、観測装置１における撮影部１０が取り付けられた先端側の部分をコンパクト化された初期状態に戻してから撮影部１０を引き出す。
【００５２】
以上説明したように、本発明の観測対象物内の観測方法によれば、ガス化炉等の観測対象物の内部を満遍なく定点撮影することができる。そのため、ガス化炉の炉壁の損耗状態やスラグタップ閉塞状況等を、同一位置で定点撮影した過去の撮影データと比較しながら把握できる。また、本発明の観測方法によれば、観測対象物内を自動で簡便に観測できる。
なお、本発明の観測対象物内の観測方法は、前記した観測装置１を用いる方法には限定されず、本発明の他の態様の観測装置を用いる方法であってもよい。
【符号の説明】
【００５３】
１…観測装置、１０…撮影部、１２…挿入部、１４…角度調節部、１６…制御部、１８…間接照明、２０…水平器、２２…回動部、２４…取り付け座、２４ａ…下板、２４ｂ…背板、２４ｃ…切欠き、１００…ガス化炉、１０２ａ…下段バーナ挿入孔、１０２ｂ…上段バーナ挿入孔、１１０…燃焼部。
【図１】
2019039653.tif 000003
【図２】
2019039653.tif 000004
【図３】
2019039653.tif 000005
【図４】
2019039653.tif 000006
【図５】
2019039653.tif 000007
【図６】
2019039653.tif 000008
【図７】
2019039653.tif 000009